(57)【要約】      （修正有）【課題】ロースターの上ケース体と、下ケース体との開き角度を制御できるような両方向に開くことができるロースターを提供する。【解決手段】ロースターは、上ケース体と、下ケース体と、これらの相対位置を制御できるヒンジ装置とがあり、前記ヒンジ装置には一つの第一ヒンジユニットと、第二ヒンジユニットとを設ける。又、前記第一ヒンジユニットには一つの回転軸があり、前記回転軸には一つの横軸と、一つの縦軸とがあり、前記横軸は前記下ケース体にヒンジ結合し、前記縦軸は前記上ケース体にヒンジ結合し、前記第二ヒンジユニットは前記下ケース体に設置された一つの固定ヒンジ部と、前記上ケース体に設置された一つの分解容易なヒンジ部とからなる。前記分解容易なヒンジ部は分解できるように前記固定ヒンジ部に設置される。【選択図】図３
0003162330.tif 000002
【実用新案登録請求の範囲】
【請求項１】
一つの上受け皿のある上ケース体と、一つの下受け皿のある下ケース体と、また、前記上ケース体と前記下ケース体とを接続し、前記上ケース体と下ケース体との相対位置を制御できるヒンジ装置とがあり、前記ヒンジ装置には一つの第一ヒンジユニットと、第二ヒンジユニットとがあり、前記第一ヒンジユニットと第二ヒンジユニットは別々に前記上ケース体と前記下ケース体との接続側の両端に設置され、前記第一ヒンジユニットには一つの回転軸があり、前記回転軸には一つの横軸と、一つの縦軸とがあり、前記横軸は前記下ケース体にヒンジ結合し、前記縦軸は前記上ケース体にヒンジ結合し、前記第二ヒンジユニットは前記下ケース体に設置された一つの固定ヒンジ部と、前記上ケース体に設置された一つの分解容易なヒンジ部とから組み合わせ、前記分解容易なヒンジ部は分解できるように前記固定ヒンジ部に設置される両方向に開くことができるロースター。
【請求項２】
前記回転軸はＬ字状の回転軸であることを特徴とする請求項１に記載の両方向に開くことができるロースター。
【請求項３】
前記第一ヒンジユニットにはまた一つの第一ヒンジと、一つの振動棒とがあり、前記第一ヒンジが前記下ケース体に固定され、そして、前記第一ヒンジには前記回転軸の横軸と対応した一つの第一ヒンジスリーブが設置され、前記振動棒は前記上ケース体に固定され、そして、前記振動棒には前記回転軸の縦軸と対応した一つの第二ヒンジスリーブが設置されることを特徴とする請求項１に記載の両方向に開くことができるロースター。
【請求項４】
前記回転軸の横軸には一つの停止凸柱が設置され、前記第一ヒンジには一つの停止ブロックが設置され、前記上ケース体を前記下ケース体から開き、前記停止凸柱が前記停止ブロックにもたれると、前記上ケースと前記下ケースとの交角は１０５°であることを特徴とする請求項３に記載の両方向に開くことができるロースター。
【請求項５】
前記固定ヒンジ部には一つの第二ヒンジがあり、前記第二ヒンジには一つのスプリングと、一つのボタンとが設置され、前記ボタンには一つのプレス部と、一つの矩形板と、一つの円柱部が並んで設置され、前記分解容易なヒンジ部には一つのヒンジループがあり、前記ヒンジループには一つの矩形開口が設置され、前記ボタンが力を受けて移動すると、前記矩形開口は前記ボタンの矩形板の位置に合わせることを特徴とする請求項１に記載の両方向に開くことができるロースター。
【請求項６】
前記矩形板の厚さは前記矩形開口の広さより小さいことを特徴とする請求項５に記載の両方向に開くことができるロースター。
【請求項７】
前記矩形板の長さは前記矩形開口の長さより小さいことを特徴とする請求項５に記載の両方向に開くことができるロースター。
【考案の詳細な説明】
【技術分野】
【０００１】
本考案はロースター関し、特にロースターの上ケース体と、下ケース体との開き角度を制御できるような両方向に開くことができるロースターに関する。
【背景技術】
【０００２】
両側ローストできる従来のロースターにはふつう上ケース体と、下ケース体と、また、上ケース体と、下ケース体とに別々に設置された上受け皿と、下受け皿とがあり、ローストする時、定位装置によって、上ケース体と下ケース体との角度を１０５°あるいは１８０°に定位させ、食物を便利にローストできる。
【０００３】
ＣＮ２０１１５０４６６Ｙには一種のロースターが掲載され、そのなかには、ホルダーと、上ケース体と、また、上ケース体とホルダーの間に設置された上受け皿と、下受け皿とがあり、前記考案ではスリーブと、スライダーと、スプリングと、ボタンとを利用し、上受け皿と下受け皿との開き交角を１０５°に定位させ、または１８０°に定位させる。
【０００４】
また、ＣＮ２０１１６０７８８Ｙには二つの開いた状態を有すロースターが掲載され、そのなかには、お互いに後ろ側がヒンジ結合された上ケース体と、下ケース体と、また、上ケース体とホルダーの間に設置された上受け皿と、下受け皿とがあり、前記考案は角度調整装置によって、上受け皿と下受け皿との交角を１０５°に定位させ、または１８０°に定位させる。
【０００５】
前記二つの考案のロースターおよび他のロースターは、上受け皿と下受け皿がなす角が１８０°になると、上受け皿と下受け皿の尾部が接続し、並んで配列することができず、また、電気制御装置は下受け皿の前あるいは前側に設置されるので、二つの受け皿では必ず一つの受け皿が使用者から離れ、ローストするのはとても不便である。また、上受け皿と下受け皿の尾部が接続しているので、二つの受け皿の前には皆油収納箱を置かなければならず、ローストするのはとても不便である。
【先行技術文献】
【特許文献】
【０００６】
【特許文献１】ＣＮ２０１１６０７８８Ｙ
【特許文献２】ＣＮ２０１１６０７８８Ｙ
【考案の概要】
【考案が解決しようとする課題】
【０００７】
本考案の目的として、上受け皿と下受け皿との交角が１８０°になる時でも、尾部が接続しているという従来技術のロースターの問題を解決し、交角が１８０°になる時、尾部が離れて、左右に並んで配列できるような両方向に開くことができるロースターを提供する。
【課題を解決するための手段】
【０００８】
本考案は以下の技術手段を採用し、
両方向に開くことができるロースターには、一つの上受け皿のある上ケース体と、一つの下受け皿のある下ケース体と、また、前記上ケース体と前記下ケース体とを接続し、前記上ケース体と下ケース体との相対位置を制御できるヒンジ装置とがあり、前記ヒンジ装置には一つの第一ヒンジユニットと、第二ヒンジユニットとがあり、前記第一ヒンジユニットと第二ヒンジユニットは別々に前記上ケース体と前記下ケース体との接続側の両端に設置され、前記第一ヒンジユニットには一つの回転軸があり、前記回転軸には一つの横軸と、一つの縦軸とがあり、前記横軸は前記下ケース体にヒンジ結合し、前記縦軸は前記上ケース体にヒンジ結合し、前記第二ヒンジユニットは前記下ケース体に設置された一つの固定ヒンジ部と、前記上ケース体に設置された一つの分解容易なヒンジ部とから組み合わせ、前記分解容易なヒンジ部は分解できるように前記固定ヒンジ部に設置される。
【０００９】
もっとも好ましい実施例では、前記回転軸はＬ字状の回転軸である。
【００１０】
もっとも好ましい実施例では、前記第一ヒンジユニットにはまた一つの第一ヒンジと、一つの振動棒とがあり、前記第一ヒンジが前記下ケース体に固定され、そして、前記第一ヒンジには前記回転軸の横軸と対応した一つの第一ヒンジスリーブが設置され、前記振動棒は前記上ケース体に固定され、そして、前記振動棒には前記回転軸の縦軸と対応した一つの第二ヒンジスリーブが設置される。
【００１１】
もっとも好ましい実施例では、前記回転軸の横軸には一つの停止凸柱が設置され、前記第一ヒンジには一つの停止ブロックが設置され、前記上ケース体を前記下ケース体から開き、前記停止凸柱が前記停止ブロックにもたれると、前記上ケースと前記下ケースとの交角は１０５°である。
【００１２】
もっとも好ましい実施例では、前記固定ヒンジ部には一つの第二ヒンジがあり、前記第二ヒンジには一つのスプリングと、一つのボタンとが設置され、前記ボタンには一つのプレス部と、一つの矩形板と、一つの円柱部が並んで設置され、前記分解容易なヒンジ部には一つのヒンジループがあり、前記ヒンジループには一つの矩形開口が設置され、前記ボタンが力を受けて移動すると、前記矩形開口は前記ボタンの矩形板の位置に合わせる。
【００１３】
もっとも好ましい実施例では、前記矩形板の厚さは前記矩形開口の広さより小さい。
【００１４】
もっとも好ましい実施例では、前記矩形板の長さは前記矩形開口の長さより小さい。
【００１５】
本考案の両方向に開くことができるロースターを使って両側ローストする時、Ｌ字状の回転軸の横軸は第一ヒンジスリーブとヒンジ結合し、分解容易なヒンジ部のヒンジループはボタンの円柱部とヒンジ結合し、上ケース体を下ケース体と接続させ、いったん上ケース体を持ち上げ、停止凸柱が停止ブロックまでもたれると、上ケースと下ケースとの交角は１０５°の安定状態になる。また、上受け皿と下受け皿とを同時に使って一側ローストする時、ボタンのプレス部をプレスし、ヒンジループの矩形開口がボタンの矩形板から通り抜けさせ、分解容易なヒンジ部を固定ヒンジ部から外し、そして、上ケース体がＬ字状の回転軸の縦軸を中心に回転し、上ケース体と下ケース体の交角は１８０°になり、左右並んで配列させる。
【００１６】
以上のように、従来技術と比べると、本考案の両方向に開くことができるロースターを１８０°に開く時、Ｌ字状の回転軸と、分解容易なヒンジ部と、固定ヒンジ部とが協働することによって、上受け皿と下受け皿は左右に並んで配列でき、ローストする時、上受け皿と下受け皿は皆使用者に近づき、便利に操作でき、また、上ケース体と下ケース体の尾部が外しているので、ただ一つの油収納箱を置くだけでよいため、非常に便利である。
【図面の簡単な説明】
【００１７】
【図１】本考案の一つの好ましい実施形態の両方向に開くことができるロースターが閉じるときの説明図をしめす。
【図２】本考案の一つの好ましい実施形態の両方向に開くことができるロースターが開き、その交角が１０５°であるときの説明図をしめす。
【図３】本考案の一つの好ましい実施形態の両方向に開くことができるロースターが開き、その交角が１８０°であるときの説明図をしめす。
【図４】本考案の一つの好ましい実施形態の両方向に開くことができるロースターの第一ヒンジユニットの立体図を示す。
【図５】本考案の一つの好ましい実施形態の両方向に開くことができるロースターの第一ヒンジユニットの分解図を示す。
【図６】本考案の一つの好ましい実施形態の両方向に開くことができるロースターの第二ヒンジユニットの立体図を示す。
【図７】本考案の一つの好ましい実施形態の両方向に開くことができるロースターの第二ヒンジユニットの分解図を示す。
【考案を実施するための形態】
【００１８】
以下は図と好ましい実施形態をまとめて、本考案の内容をいっそう詳しく説明する。
【００１９】
図１〜図３に示すように、両方向に開くことができるロースターには、一つの上受け皿３０のある上ケース体１０と、一つの下受け皿４０のある下ケース体２０と、また、前記上ケース体１０と前記下ケース体２０とを接続し、前記上ケース体１０と下ケース体２０との相対位置を制御できるヒンジ装置とがあり、前記ヒンジ装置には一つの第一ヒンジユニット５０と、第二ヒンジユニット６０とがあり、前記第一ヒンジユニット５０と第二ヒンジユニット６０は別々に前記上ケース体１０と前記下ケース体２０との接続側の両端に設置される。
【００２０】
図４と、図５とを同時に参考し、前記第一ヒンジユニット５０には一つのＬ字状の回転軸５１と、一つの第一ヒンジ５２と、一つの振動棒５３とがあり、前記第一ヒンジ５２が前記下ケース体２０に固定され、そして、前記第一ヒンジ５２には前記Ｌ字状の回転軸５１の横軸５１１と対応した一つの第一ヒンジスリーブ５２１が設置される。前記振動棒５３は前記上ケース体１０に固定され、そして、前記振動棒５３には前記Ｌ字状の回転軸５１の縦軸５１２と対応した一つの第二ヒンジスリーブ５３１が設置される。
【００２１】
Ｌ字状の回転軸５１の横軸５１１には一つの停止凸柱５１１１が設置され、前記第一ヒンジ５２には一つの停止ブロック５２２が設置され、前記上ケース体１０を前記下ケース体２０から開き、前記停止凸柱５１１１が前記停止ブロック５２２にもたれると、前記上ケース１０と前記下ケース２０との交角は１０５°である。
【００２２】
図６と、図７とを同時に参考し、前記第二ヒンジユニット６０は前記下ケース体２０に設置された一つの固定ヒンジ部６１と、前記上ケース体１０に設置された一つの分解容易なヒンジ部６２とから組み合わせ、前記分解容易なヒンジ部６２は分解できるように前記固定ヒンジ部６１に設置される。
【００２３】
前記固定ヒンジ部６１には一つの第二ヒンジ６１１があり、前記第二ヒンジ６１１には一つのスプリング６１２と、一つのボタン６１３とが設置され、前記ボタン６１３には一つのプレス部６１３１と、一つの矩形板６１３２と、一つの円柱部６１３３が並んで設置される。前記分解容易なヒンジ部６２には一つのヒンジループ６２１があり、前記ヒンジループ６２１には一つの矩形開口が６２１１設置され、前記ボタン６１３が力を受けて移動すると、前記矩形開口６２１１は前記ボタン６１３の矩形板６１３２の位置に合わせ、また、前記矩形板６１３２の厚さは前記矩形開口６２１１の広さより小さく、前記矩形板６１３２の長さは前記矩形開口６２１１の長さより小さい。ボタン６１３のプレス部６１３１をプレスすると、矩形開口６２１１が矩形板６１３２から通り抜けでき、そして、分解容易なヒンジ部６２を固定ヒンジ部６１から分解させる。
【００２４】
本考案の両方向に開くことができるロースターを使って両側ローストする時、Ｌ字状の回転軸５１の横軸５１１は第一ヒンジスリーブ５２１とヒンジ結合し、分解容易なヒンジ部６２のヒンジループ６２１はボタン６１３の円柱部６１３３とヒンジ結合し、上ケース体１０を下ケース体２０と接続させ、いったん上ケース体１０を持ち上げ、停止凸柱５１１１が停止ブロック５２２までもたれると、上ケース１０と下ケース２０との交角は１０５°の安定状態になる。上受け皿３０と下受け皿４０とを同時に使って一側ローストする時、ボタン６１３のプレス部６１３１をプレスし、ヒンジループ６２１の矩形開口６２１１がボタン６１３の矩形板６１３２から通り抜けさせ、分解容易なヒンジ部６２を固定ヒンジ部６１から外し、そして、第二ヒンジスリーブ５３１によって、上ケース体１０がＬ字状の回転軸５１の縦軸５２１を中心に逆時計方向に１８０°回転し、そして、上ケース体１０と下ケース体２０の交角は１８０°になり、左右並んで配列させる。
【００２５】
以上のように、本考案でただ好ましい実施例を開示したが，本考案のデザインアイディアはこれに限定されるものではなく、当業者が本考案のアイディアと範囲に基づいて色々変形させることは可能であり、それらは本考案の請求項の保護範囲から排除するものではない。
【図１】
0003162330.tif 000003
【図２】
0003162330.tif 000004
【図３】
0003162330.tif 000005
【図４】
0003162330.tif 000006
【図５】
0003162330.tif 000007
【図６】
0003162330.tif 000008
【図７】
0003162330.tif 000009